(57)【要約】【課題】回転変動の伝達を低減することができると共に、弾性体の耐久性を向上することができるプーリを提供する。【解決手段】回転軸３に固定されるハブ５と、ハブ５の外周に回転可能に設けられる筒状のプーリ本体７と、ハブ５から回転軸３を中心とする半径方向に向かってプーリ本体７近傍まで突出するハブ側回転伝達突部９を有する突部回転体２１と、プーリ本体７から回転軸３に向かってハブ５近傍まで突出する本体側回転伝達突部１１と、ハブ側回転伝達突部９と本体側回転伝達突部１１の間に形成された複数の弾性体収容スペース１３内にそれぞれ収容される弾性体１５とを備え、ハブ５には、弾性体１５による回転変動吸収機能が働かなくなる程の過大なトルクが入力されるとプーリ本体７とハブ５間の回転の伝達を遮断する制限部材１７を設けた。【選択図】  図１
2007205378.tif 000002
【特許請求の範囲】
【請求項１】
回転軸に固定されるハブと、該ハブの外周に回転可能に設けられる筒状のプーリ本体と、前記ハブから前記回転軸を中心とする半径方向に向かって前記プーリ本体近傍まで突出するハブ側回転伝達突部と、前記プーリ本体から前記回転軸に向かって前記ハブ近傍まで突出する本体側回転伝達突部と、前記ハブ側回転伝達突部と前記本体側回転伝達突部の間に形成された複数の弾性体収容スペース内にそれぞれ収容される弾性体とを備え、前記プーリ本体と前記ハブ間の回転が前記弾性体を介して伝達されるプーリにおいて、
前記ハブには、前記弾性体に過大なトルクが入力されると前記プーリ本体と前記ハブ間の回転の伝達を遮断する制限部材が設けられていることを特徴とするプーリ。
【請求項２】
請求項１記載のプーリであって、
前記ハブは、前記回転軸に固定される円筒固定部と、該円筒固定部の外周に円筒固定部と一体回転可能に設けられ、前記ハブ側回転伝達突部が形成された突部回転体とを備え、前記円筒固定部と前記突部回転体との間に前記制限部材が設けられていることを特徴とするプーリ。
【請求項３】
請求項２記載のプーリであって、
前記制限部材は、前記弾性体に過大なトルクが入力されると前記円筒固定部と前記突部回転体との間で回転するスリップリングであることを特徴とするプーリ。
【発明の詳細な説明】
【技術分野】
【０００１】
本発明は、巻掛け伝動機構に使用され、駆動側の回転変動に起因するベルトの張力変動を吸収できるプーリに関する。
【背景技術】
【０００２】
特許文献１に、エンジンのトルクをベルトを介して補機（エアーコンディショナ、パワーステアリング、オルタネータ、ウォータポンプ等）に入力する補機駆動用プーリが記載されている。
【０００３】
この補機駆動用プーリは、補機の入力軸に固定されるハブと、ハブの外周に相対的に回動可能に設けられたプーリ本体と、プーリ本体とハブとの間のトルクの伝達を行うトルク伝達手段とで構成され、トルク伝達手段は弾性部材を備えている。
【０００４】
このような補機駆動用プーリでは、ベルトを介してプーリ本体に伝達された回転変動を含むトルクが、弾性部材を介してハブ及び回転軸に伝達されることになるので、その回転変動を弾性部材の弾性変形によって吸収して補機側の入力軸に伝えることができる。従って、プーリ本体に巻回するベルトにかかる張力の変動を低減することができるので、ベルトの寿命の向上を図ることができる。
【特許文献１】特開２００４−２３２７７８号公報（図１）
【発明の開示】
【発明が解決しようとする課題】
【０００５】
上記のような補機駆動用プーリでは、弾性部材によって回転変動を吸収している。このため、通常はプーリ本体に入力されるトルクを弾性部材によって吸収することができ、ハブ側に回転変動が伝達することを低減することができる。
【０００６】
しかしながら、プーリ本体に入力されるトルクが弾性部材による回転変動吸収機能が働かなくなる程の過大な入力の場合、弾性部材は回転変動を吸収することができなくなり、ベルトに掛かる張力の変動や異音の低減が十分にできず、ベルトの耐久性が低下してしまう。また、この場合、弾性部材が必要以上に潰されており、この状態が長く続くと弾性部材が破損する恐れがあると共に、弾性部材の耐久性が低下してしまう。
【０００７】
そこで、この発明は、回転変動の伝達を低減することができると共に、ベルト及び弾性体の耐久性を向上することができるプーリの提供を目的としている。
【課題を解決するための手段】
【０００８】
請求項１の発明は、回転軸に固定されるハブと、該ハブの外周に回転可能に設けられる筒状のプーリ本体と、前記ハブから前記回転軸を中心とする半径方向に向かって前記プーリ本体近傍まで突出するハブ側回転伝達突部と、前記プーリ本体から前記回転軸に向かって前記ハブ近傍まで突出する本体側回転伝達突部と、前記ハブ側回転伝達突部と前記本体側回転伝達突部の間に形成された複数の弾性体収容スペース内にそれぞれ収容される弾性体とを備え、前記プーリ本体と前記ハブ間の回転が前記弾性体を介して伝達されるプーリにおいて、前記ハブには、前記弾性体に過大なトルクが入力されると前記プーリ本体と前記ハブ間の回転の伝達を遮断する制限部材が設けられていることを特徴とする。
【０００９】
請求項２の発明は、請求項１記載のプーリであって、前記ハブは、前記回転軸に固定される円筒固定部と、該円筒固定部の外周に円筒固定部と一体回転可能に設けられ、前記ハブ側回転伝達突部が形成された突部回転体とを備え、前記円筒固定部と前記突部回転体との間に前記制限部材が設けられていることを特徴とする。
【００１０】
請求項３の発明は、請求項２記載のプーリであって、前記制限部材は、前記弾性体に過大なトルクが入力されると前記円筒固定部と前記突部回転体との間で回転するスリップリングであることを特徴とする。
【発明の効果】
【００１１】
請求項１のプーリは、ハブには弾性体による回転変動吸収機能が働かなくなる程の過大なトルクが入力されるとプーリ本体とハブ間の回転の伝達を遮断する制限部材が設けられているので、プーリ本体とハブ間の回転の伝達が遮断される。
【００１２】
従って、制限部材によって、弾性体による回転変動吸収機能が働かなくなる程の過大なトルクが入力された場合、プーリ本体とハブ間の回転の伝達が遮断されるので、弾性体が必要以上に潰されることがなく、弾性体の耐久性が向上する。また、弾性体が潰れることがなく、弾性体による回転変動の吸収ができるので、ベルトに掛かる張力の変動や異音の低減ができ、ベルトの耐久性も向上する。
【００１３】
請求項２のプーリは、ハブの円筒固定部と突部回転体との間に制限部材が設けられているので、弾性体による回転変動吸収機能が働かなくなる程の過大なトルクが入力された場合、円筒固定部と突部回転体間の回転の伝達が遮断される。これにより、プーリ本体と突部回転体とが一体回転するが、プーリ本体と円筒固定部間の回転の伝達が遮断され、請求項１と同様にベルトと弾性体の耐久性を向上できる。
【００１４】
請求項３のプーリは、制限部材がスリップリングであるので、弾性体による回転変動吸収機能が働かなくなる程の過大なトルクが入力されると円筒固定部と突部回転体との間でスリップリングが回転する。これにより、円筒固定部と突部回転体とが空回りした状態となり、円筒固定部と突部回転体間の回転の伝達が遮断されるので、プーリ本体とハブ間の回転の伝達が遮断され、請求項１と同様にベルトと弾性体の耐久性を向上できる。
【発明を実施するための最良の形態】
【００１５】
図１〜図４を用いて実施形態について説明する。
【００１６】
本実施形態のプーリ１は、回転軸３に固定されるハブ５と、ハブ５の外周に回転可能に設けられる筒状のプーリ本体７と、ハブ５から回転軸３を中心とする半径方向に向かってプーリ本体７近傍まで突出するハブ側回転伝達突部９を有する突部回転体２１と、プーリ本体７から回転軸３に向かってハブ５近傍まで突出する本体側回転伝達突部１１と、ハブ側回転伝達突部９と本体側回転伝達突部１１の間に形成された複数の弾性体収容スペース１３内にそれぞれ収容される弾性体１５とを備えている。そして、ハブ５には、弾性体１５による回転変動吸収機能が働かなくなる程の過大なトルクが入力されるとプーリ本体７とハブ５間の回転の伝達を遮断する制限部材１７が設けられている。
【００１７】
図１、図２、図４に示すように、ハブ５は、内周面に回転軸３の先端部が螺合によって固定される円筒状の円筒固定部２３と、円筒固定部２３の一側の端部に一体的に形成された円板部２５とを備えている。円板部２５の中心部には、回転軸３を螺合する際に使用する治具が挿入される６角孔２７が形成されている。また、円筒固定部２３の他側の外周面と回転軸３に圧入されるカラー２９の外周面に、軸受３１のインナレース３３が圧入されている。さらに、円筒固定部２３の外周面には、突部回転体２１が圧入されている。
【００１８】
突部回転体２１は、円筒状に形成され、外周面から１８０度対向位置に回転軸３を中心とする半径方向に向かってプーリ本体７近傍まで突出する２つのハブ側回転伝達突部９を備えている。また、突部回転体２１の内周面には、制限部材１７であるスリップリング３５が圧入されている。
【００１９】
スリップリング３５は、内周面と外周面に複数の突部３７が形成されている。この複数の突部３７は、後述する弾性体１５による回転変動吸収機能が働かなくなる程の過大なトルクが入力された場合、ハブ５と突部回転体２１とが独立して回転するように、その個数が設定されている。
【００２０】
プーリ本体７は、外周面にベルト（不図示）が巻掛けられる円筒状のリム部３９と、このリム部３９の内周面には１８０度対向位置に回転軸３に向かってハブ５近傍まで突出する２つの本体側回転伝達突部１１とを備えている。ハブ５の２箇所のハブ側回転伝達突部９とプーリ本体７の２箇所の本体側回転伝達突部１１は、同一円周上に配置され、且つ、それぞれ９０度だけ回転位置がオフセットして配置されている。そして、隣り合うハブ側回転伝達突部９及び本体側回転伝達突部１１によって４つの弾性体収容スペース１３が形成されている。また、リム部３９の一側の内周面には、軸受３１のアウタレース４１が圧入されている。さらに、弾性体収容スペース１３には、弾性体１５が収容されている。
【００２１】
各弾性体１５は、例えばゴム材から形成され、各弾性体収容スペース１３に１つずつ収容されている。この弾性体１５のばね特性によって、プーリ本体７側からの回転変動を吸収してトルクをハブ５側に伝達することができる。また、軸受３１のアウタレース４１とプーリ本体７の本体側回転伝達突部１１に挟まれて金属製のスペーサ１９が設けられている。このスペーサ１９は、弾性体１５が圧縮された際に軸受３１への侵入を防いでいる。
【００２２】
このように構成されたプーリ１は、駆動側プーリ（不図示）の回転によってベルト（不図示）に移動力が作用すると、ベルト（不図示）との摩擦力によってプーリ１のプーリ本体７にトルクが伝達される。そして、プーリ本体７の各本体側回転伝達突部１１が弾性体１５及び突部回転体２１を介してハブ５のハブ側回転伝達突部９にトルクを伝達する。このハブ５の回転によって補機（不図示）側の回転軸３が回転される。
【００２３】
この回転伝達過程にあって、駆動側の回転に回転変動が発生すると、この回転変動にベルト（不図示）が追従するように移動速度を変動させ、ベルト（不図示）には張力の変動が生じることになる。一方、ハブ５及び回転軸３は慣性によって一定回転数で回転しようとする。しかし、プーリ本体７の回転に回転変動があると弾性体１５が弾性変形してその回転変動を吸収しつつハブ５に回転を伝達する。
【００２４】
ここで、図３に示すように、従来のプーリ１０１では、弾性体１１５による回転変動吸収機能が働かなくなる程の過大なトルクがプーリ本体１０７に入力されると、弾性体１１５がそれ以上弾性変形できずに潰された状態で、トルクがハブ１０５側に伝達される。これにより、プーリ本体１０７に巻回されたベルト（不図示）の張力に起因する回転変動を弾性体１１５が吸収することが十分にできなくなる。
【００２５】
そこで、図４に示すように、プーリ１では、ハブ５の円筒固定部２３と突部回転体２１との間に制限部材１７であるスリップリング３５が配置されている。このスリップリング３５は、通常、ハブ５と突部回転体２１とが一体回転可能となるように回転する。そして、このスリップリング３５は、弾性体１５による回転変動吸収機能が働かなくなる程の過大なトルクに対しては、ハブ５と突部回転体２１とが独立して回転するように回転する。このため、突部回転体２１のみが回転するので、ハブ５の円筒固定部２３にはトルクが伝達されない。なお、スリップリング３５は、弾性体１５のばね定数等に合わせて、複数の突部３７の個数、スリップリング３５の径等が設定されている。
【００２６】
このようなプーリ１では、ハブ５には弾性体１５による回転変動吸収機能が働かなくなる程の過大なトルクが入力されるとプーリ本体７とハブ５間の回転の伝達を遮断する制限部材１７であるスリップリング３５が設けられているので、プーリ本体７とハブ５間の回転の伝達が遮断され、回転変動が伝達されることがない。
【００２７】
また、スリップリング３５によって、弾性体１５による回転変動吸収機能が働かなくなる程の過大なトルクが入力された場合、プーリ本体７とハブ５間の回転の伝達が遮断されるので、弾性体１５が必要以上に潰されることがなく、弾性体１５の耐久性が向上する。また、弾性体１５が潰れることがなく、弾性体１５による回転変動の吸収ができるので、ベルトに掛かる張力の変動や異音の低減ができ、ベルトの耐久性も向上する。
【００２８】
なお、従来では、プーリ本体１０７の内周面に凹部を設け、ハブ１０５のハブ側回転伝達突部１０９に凸部を設けて、この凹部と凸部とを凹凸嵌合することによって、弾性体１１５による回転変動吸収機能が働かなくなる程の過大なトルクが入力された場合に弾性体１１５が必要以上に潰されることを回避していた。この構成では、弾性体１１５の特性に合わせてプーリ本体１０７とハブ１０５とを加工しなければならないため、製造コストが増加してしまう。これに対して、プーリ１では、弾性体１５の特性に合わせてスリップリング３５のみの設定を変更すれば良く、製造コストを低減することができる。
【図面の簡単な説明】
【００２９】
【図１】本実施形態を示す、プーリの分解斜視図である。
【図２】本実施形態を示す、プーリの断面図である。
【図３】従来例を示す、従来のプーリのトルクが入力された際の断面図である。
【図４】本実施形態を示す、プーリのトルクが入力された際の断面図である。
【符号の説明】
【００３０】
１…プーリ
３…回転軸
５…ハブ
７…プーリ本体
９…ハブ側回転伝達突部
１１…本体側回転伝達突部
１３…弾性体収容スペース
１５…弾性体
１７…制限部材
１９…スペーサ
２１…突部回転体
２３…円筒固定部
３５…スリップリング
３７…突部
【図１】
2007205378.tif 000003
【図２】
2007205378.tif 000004
【図３】
2007205378.tif 000005
【図４】
2007205378.tif 000006